(57)【特許請求の範囲】
【請求項１】
携帯端末と接続可能な電子装置であって、
携帯端末で再生されたコンテンツデータを受信する受信手段と、
受信したコンテンツデータを出力する出力手段と、
携帯端末で再生中のコンテンツの次に再生される次コンテンツの再生終了後の携帯端末のバッテリー残量を推定する推定手段と、
前記推定手段の推定結果に基づき、次コンテンツの再生開始前または再生終了後の少なくとも一方において前記出力手段を介してバッテリー残量に関する通知を行う通知手段と、
を有する電子装置。
【請求項２】
前記推定手段は、携帯端末から当該携帯端末のバッテリー残量に関するバッテリー情報を取得するバッテリー情報取得手段を含み、前記推定手段は、前記バッテリー情報に基づき次コンテンツの再生終了後のバッテリー残量を推定する、請求項１に記載の電子装置。
【請求項３】
前記推定手段は、次コンテンツの再生時間に基づきバッテリー残量を推定する、請求項１または２に記載の電子装置。
【請求項４】
前記推定手段は、携帯端末からコンテンツの再生時間に関するコンテンツ情報を取得するコンテンツ情報取得手段を含み、前記推定手段は、前記コンテンツ情報に基づき次コンテンツの再生終了時のバッテリー残量を推定する、請求項３に記載の電子装置。
【請求項５】
前記通知手段は、前記推定手段によるバッテリー残量の推定値が第１の閾値以下であるとき、次コンテンツの再生開始前または再生終了後にバッテリー残量に関する通知を行う、請求項１に記載の電子装置。
【請求項６】
前記通知手段は、前記推定値が第１の閾値よりも小さい第２の閾値以下であるとき、次コンテンツの再生開始前にバッテリー残量に関する第１の通知を行い、前記推定値が第２の閾値を上回るとき、次コンテンツの再生終了後にバッテリー残量に関する第２の通知を行う、請求項５に記載の電子装置。
【請求項７】
前記第１の通知と前記第２の通知は、それぞれ異なる警告内容を包含する、請求項６に記載の電子装置。
【請求項８】
前記通知手段は、コンテンツの境界期間を検出する検出手段を含み、前記通知手段は、前記検出手段により境界期間が検出されたときにバッテリー残量に関する通知を行う、請求項１ないし７いずれか１つに記載の電子装置。
【請求項９】
前記出力手段が他の手段によって使用されているとき、前記通知手段は、前記他の手段による前記出力手段の使用の終了後に前記出力手段を介してバッテリー残量に関する通知を行う、請求項１ないし８いずれか１つに記載の電子装置。
【請求項１０】
前記通知手段は、前記検出手段により検出された境界期間が一定以下である場合には、前記境界期間において前記出力手段によるコンテンツデータの出力を一定期間停止させ、その間にバッテリー残量に関する通知を行い、当該通知後にコンテンツデータの出力を再開させる、請求項８に記載の電子装置。
【請求項１１】
前記通知手段は、携帯端末によるハンズフリー通話が発生した場合には、ハンズフリー通話の終了後にバッテリー残量に関する通知を行う、請求項１ないし１０いずれか１つに記載の電子装置。
【請求項１２】
前記通知手段は、バッテリー残量の推定値がゼロ以下と推定された場合には、現在のコンテンツデータの出力中にバッテリー残量に関する通知を行う、請求項１ないし１１いずれか１つに記載の電子装置。
【請求項１３】
請求項１ないし１２いずれか１つに記載の電子装置と、当該電子装置に接続された携帯端末とを含むシステムであって、
前記携帯端末は、
コンテンツデータを再生する再生手段と、
前記再生手段により再生されたコンテンツデータを電子装置へ送信する送信手段と、
バッテリー残量に関するバッテリー情報を前記電子装置に提供する提供手段とを有する、システム。
【請求項１４】
前記提供手段は、一定の時間間隔で前記バッテリー情報を提供する、請求項１３に記載のシステム。
【請求項１５】
前記提供手段は、バッテリー残量が決められた値になったときにバッテリー情報を提供する、請求項１３に記載のシステム。
【請求項１６】
携帯端末と接続可能な電子装置におけるバッテリー残量の通知方法であって、
携帯端末で再生されたコンテンツデータを受信し、受信したコンテンツデータを出力手段から出力するステップと、
携帯端末で再生中のコンテンツの次に再生される次コンテンツの再生終了後の携帯端末のバッテリー残量を推定するステップと、
前記推定するステップの推定結果に基づき、次コンテンツの再生開始前または再生終了後の少なくとも一方において前記出力手段を介してバッテリー残量に関する通知を行うステップと、
を有する通知方法。
【請求項１７】
前記通知するステップは、推定するステップにより推定値が閾値以下であるとき、次コンテンツの再生開始前にバッテリー残量に関する第１の通知を行い、前記推定値が前記閾値を上回るとき、次コンテンツの再生終了後にバッテリー残量に関する第２の通知を行う、請求項１６に記載の通知方法。
【請求項１８】
前記出力手段が他の手段によって使用されているとき、前記通知するステップは、前記他の手段による前記出力手段の使用の終了後に前記出力手段を介してバッテリー残量に関する通知を行う、請求項１６または１７に記載の通知方法。
【請求項１９】
携帯端末と接続可能な電子装置が実行するバッテリー残量の通知プログラムであって、
携帯端末で再生されたコンテンツデータを受信し、受信したコンテンツデータを出力手段から出力するステップと、
携帯端末で再生中のコンテンツの次に再生される次コンテンツの再生終了後の携帯端末のバッテリー残量を推定するステップと、
前記推定するステップの推定結果に基づき、次コンテンツの再生開始前または再生終了後の少なくとも一方において前記出力手段を介してバッテリー残量に関する通知を行うステップと、
を有する通知プログラム。
【請求項２０】
前記通知するステップは、推定するステップにより推定値が閾値以下であるとき、次コンテンツの再生開始前にバッテリー残量に関する第１の通知を行い、前記推定値が前記閾値を上回るとき、次コンテンツの再生終了後にバッテリー残量に関する第２の通知を行う、請求項１９に記載の通知プログラム。
【発明の詳細な説明】
【技術分野】
【０００１】
本発明は、携帯端末から送信されたコンテンツデータを出力可能な電子装置に関し、特に、携帯端末のバッテリー残量の通知に関する。
【背景技術】
【０００２】
車載装置は、ナビゲーション機能、オーディオ・ビデオ機能、テレビ／ラジオ受信機能などを備え、さらにスマートフォンに代表されるような多機能・高機能型の携帯端末と連携することが可能である。車載装置とスマートフォンとの接続により、車内空間において、携帯端末を介してのハンズフリー通話を可能にしたり、スマートフォンの通信機能を利用してインターネットから種々の情報を取得したり、スマートフォンに格納された楽曲や映像を車載装置から出力させることができる。
【０００３】
車載装置とスマートフォンとが連携ないし接続されるとき、スマートフォンへの電話の着信や、メッセージ等の受信があると、それが車載装置側に割込み通知される。特許文献１は、携帯端末においてコンテンツの視聴中に電子メールの着信を検出した場合には、コンテンツの区切り位置が検出されてから電子メールの通知を行っている。
【先行技術文献】
【特許文献】
【０００４】
【特許文献１】特開２００６−３１１０９８号公報
【発明の概要】
【発明が解決しようとする課題】
【０００５】
図１１は、車載装置１とスマートフォン２とが無線通信３により接続され、車載装置１で連携アプリケーション４を実行してスマートフォン２にコンテンツを再生させ、スマートフォン２で再生されたコンテンツデータを受け取り、これを車載装置１のスピーカから出力させている状況を示している。スマートフォン２は、バッテリーにより駆動されるため、コンテンツデータの再生を連続していると、バッテリー残量が少なくなる。コンテンツデータの再生中に、バッテリー残量がなくなれば、コンテンツの再生はもとより、それ以外の電話動作等にも支障をきたす。このため、車載装置１は、スマートフォン２からバッテリー残量に関する情報を取得し、バッテリー残量が一定以下になると、ビープ音、バッテリー残量が少ない旨の音声による通知、または画面表示などの警告５、６を割込み出力し、ユーザーにその旨を知らせている。例えば、音楽再生中であっても、バッテリー残量が１０％、３０％になったとき、警告５、６を通知している。しかしながら、音楽等を視聴している最中に、バッテリー残量に関する警告５、６が通知されると、音楽視聴の妨げになり、ユーザーにとっては必ずしも快適ではなかった。
【０００６】
本発明は、このような従来の課題を解決するものであり、出来るだけコンテンツの視聴に支障をきたさないように携帯端末のバッテリー残量に関する通知を行うことができる電子装置、システム、通知プログラムおよび通知方法を提供することを目的とする。
【課題を解決するための手段】
【０００７】
本発明に係る電子装置は、携帯端末と接続可能なものであって、携帯端末で再生されたコンテンツデータを受信する受信手段と、受信したコンテンツデータを出力する出力手段と、携帯端末で再生中のコンテンツの次に再生される次コンテンツの再生終了後の携帯端末のバッテリー残量を推定する推定手段と、前記推定手段の推定結果に基づき、次コンテンツの再生開始前または再生終了後の少なくとも一方において前記出力手段を介してバッテリー残量に関する通知を行う通知手段と、を有する。
【０００８】
好ましくは前記推定手段は、携帯端末から当該携帯端末のバッテリー残量に関するバッテリー情報を取得するバッテリー情報取得手段を含み、前記推定手段は、前記バッテリー情報に基づき次コンテンツの再生終了後のバッテリー残量を推定する。好ましくは前記推定手段は、次コンテンツの再生時間に基づきバッテリー残量を推定する。好ましくは前記推定手段は、携帯端末からコンテンツの再生時間に関するコンテンツ情報を取得するコンテンツ情報取得手段を含み、前記推定手段は、前記コンテンツ情報に基づき次コンテンツの再生終了時のバッテリー残量を推定する。好ましくは前記通知手段は、前記推定手段によるバッテリー残量の推定値が第１の閾値以下であるとき、次コンテンツの再生開始前または再生終了後にバッテリー残量に関する通知を行う。好ましくは前記通知手段は、前記推定値が第１の閾値よりも小さい第２の閾値以下であるとき、次コンテンツの再生開始前にバッテリー残量に関する第１の通知を行い、前記推定値が第２の閾値を上回るとき、次コンテンツの再生終了後にバッテリー残量に関する第２の通知を行う。好ましくは前記第１の通知と前記第２の通知は、それぞれ異なる警告内容を包含する。好ましくは前記通知手段は、コンテンツの境界期間を検出する検出手段を含み、前記通知手段は、前記検出手段により境界期間が検出されたときにバッテリー残量に関する通知を行う。好ましくは前記出力手段が他の手段によって使用されているとき、前記通知手段は、前記他の手段による前記出力手段の使用の終了後に前記出力手段を介してバッテリー残量に関する通知を行う。好ましくは前記通知手段は、前記検出手段により検出された境界期間が一定以下である場合には、前記境界期間において前記出力手段によるコンテンツデータの出力を一定期間停止させ、その間にバッテリー残量に関する通知を行い、当該通知後にコンテンツデータの出力を再開させる。好ましくは前記通知手段は、携帯端末によるハンズフリー通話が発生した場合には、ハンズフリー通話の終了後にバッテリー残量に関する通知を行う。好ましくは前記通知手段は、バッテリー残量の推定値がゼロ以下と推定された場合には、現在のコンテンツデータの出力中にバッテリー残量に関する通知を行う。
【０００９】
本発明に係るシステムは、上記構成の電子装置と、当該電子装置に接続された携帯端末とを含むものであって、前記携帯端末は、コンテンツデータを再生する再生手段と、前記再生手段により再生されたコンテンツデータを電子装置へ送信する送信手段と、バッテリー残量に関するバッテリー情報を前記電子装置に提供する提供手段とを有する、システム。
【００１０】
本発明に係る、携帯端末と接続可能な電子装置におけるバッテリー残量の通知方法は、携帯端末で再生されたコンテンツデータを受信し、受信したコンテンツデータを出力手段から出力するステップと、携帯端末で再生中のコンテンツの次に再生される次コンテンツの再生終了後の携帯端末のバッテリー残量を推定するステップと、前記推定するステップの推定結果に基づき、次コンテンツの再生開始前または再生終了後の少なくとも一方において前記出力手段を介してバッテリー残量に関する通知を行うステップと、を有する。
【００１１】
本発明に係る、携帯端末と接続可能な電子装置が実行するバッテリー残量の通知プログラムは、携帯端末で再生されたコンテンツデータを受信し、受信したコンテンツデータを出力手段から出力するステップと、携帯端末で再生中のコンテンツの次に再生される次コンテンツの再生終了後の携帯端末のバッテリー残量を推定するステップと、前記推定するステップの推定結果に基づき、次コンテンツの再生開始前または再生終了後の少なくとも一方において前記出力手段を介してバッテリー残量に関する通知を行うステップと、を有する。
【発明の効果】
【００１２】
本発明によれば、現在再生中のコンテンツの次に再生される次コンテンツの再生終了後の携帯端末のバッテリー残量を推定し、推定結果に基づき次コンテンツの再生開始前または再生開始後の少なくともいずれかにおいてバッテリー残量に関する通知を行うようにしたので、コンテンツの再生中にその視聴が妨げられるのを防止することができる。また、バッテリー残量に応じたバッテリー残量に関する通知を、次コンテンツの再生前後において、適切なタイミングで行うことができる。
【図面の簡単な説明】
【００１３】
【図１】本実施例に係る車載装置と携帯端末との連携システムを示す図である。
【図２】本発明の第１の実施例に係る車載装置の構成を示すブロック図である。
【図３】本発明の第１の実施例に係る通知プログラムの機能的な構成を示す図である。
【図４】コンテンツの再生順の例を説明する図である。
【図５】携帯端末の典型的な構成を示すブロック図である。
【図６】本発明の第１の実施例に係るバッテリー残量の通知の動作を示すフロー図である。
【図７】本発明の第１の実施例によるバッテリー残量の通知タイミングを示す図である。
【図８】本発明の第２の実施例に係るバッテリー残量の通知の動作を示すフロー図である。
【図９】本発明の第２の実施例に係るバッテリー残量の通知のタイミングを示すフロー図である。
【図１０】本発明の第２の実施例の変形例によるバッテリー残量の通知内容の一例を示す図である。
【図１１】従来の車載装置におけるバッテリー残量の通知方法を説明する図である。
【発明を実施するための形態】
【００１４】
次に、本発明の実施の形態について、図面を参照して詳細に説明する。本発明の実施の形態に係る電子装置は、自動車等の移動体上に固定的に搭載される車載装置や、車内に持ち込む携帯型端末等であることができる。本発明の電子装置は、コンピュータ装置であり、例えば、ナビゲーション機能、オーディオ・ビデオデータを再生する機能、テレビ・ラジオ放送を受信する機能、アプリケーションソフトウエアを実行する機能などを統合的に備えることができる。さらに本発明の電子装置は、スマートフォン、タブレット端末、ラップトップコンピュータ等の携帯端末を接続する機能を備え、電子装置は、携帯端末に包含される種々の機能との連携を図ることができる。
【実施例】
【００１５】
図１は、本発明の実施例に係る車載装置と携帯端末との連携システムを示す図である。連携システムは、車載装置１０と、これに接続される少なくとも１つの携帯端末２０とを含む。車載装置１０は、接続手段３０を介して携帯端末との間で双方向のデータ通信を行うことができる。接続手段３０は、好ましくは無線接続であり、例えば、Bluetooth（登録商標）を用いた接続（以下、ＢＴ接続）やWi-Fi（登録商標）を用いた接続（ＷＦ接続）であることができる。なお、本実施例では、接続手段３０として無線によるデータ通信を例示するが、接続手段３０は、ＵＳＢケーブル等を用いた有線接続を含むことも可能である。
【００１６】
車載装置１０に携帯端末２０が接続されたとき、車載装置１０は、自身が保有する種々の機能を実行することも可能であり、また携帯端末２０が保有する種々の機能を実行することも可能である。１つの好ましい例では、車載装置１０に携帯端末２０が接続されたとき、車載装置１０は、両者の連携を図るべくアプリケーションを起動し、当該アプリケーションを介して車載装置１０から携帯端末２０を遠隔操作することが可能である。アプリケーションが起動されると、例えば、車載装置１０の画面には、自身が保有する機能を実行するためのアイコンや、携帯端末が保有する機能を実行するためのアイコンが表示され、ユーザーは、アイコンを選択することで所望の機能を実行させることができる。本実施例は、以下の説明にあるように、車載装置１０は、携帯端末２０が保持する楽曲等のコンテンツを再生させ、再生されたコンテンツデータを携帯端末２０から受け取り、これを出力する。車載装置１０は、再生されたコンテンツの妨げとならないような最適なタイミングで携帯端末２０のバッテリー残量の通知を行う。
【００１７】
図２は、第１の実施例に係る車載装置の典型的な構成を示すブロック図である。本実施例に係る車載装置１０は、入力部１００、位置情報算出部１１０、ナビゲーション部１２０、マルチメディア再生部１３０、表示部１４０、音声出力部１５０、通信接続部１６０、記憶部１７０、制御部１８０を含んで構成される。
【００１８】
入力部１００は、入力キーデバイス、音声入力認識装置、タッチパネルなどにより、ユーザーからの指示を受け取り、これを制御部１８０へ提供する。位置情報算出部１１０は、例えば、ＧＰＳ衛星から送信されるＧＰＳ信号、ジャイロセンサ等のセンサからの出力に基づき自車の現在地を算出する。ナビゲーション部１２０は、位置情報算出部１１０によって算出された現在地から目的地までの経路を探索し、探索された経路の案内をしたり、自車位置周辺の道路地図の案内を行う。
【００１９】
マルチメディア再生部１３０は、記憶部１７０に記憶された音楽や映像等のコンテンツデータを再生し、再生された音声データは音声出力部１５０から出力され、再生された映像データは表示部１４０から出力される。また、マルチメディア再生部１３０は、接続された携帯端末２０のコンテンツデータが再生されたとき、携帯端末２０から受信した音声データおよび映像データをそれぞれ音声出力部１５０および表示部１４０から出力させる。
【００２０】
表示部１４０は、液晶ディスプレイや有機ＥＬ等のディスプレイを含み、例えば、ナビゲーション部１２０によって生成された道路地図やマルチメディア再生部１３０で再生された映像データ等を表示する。音声出力部１５０は、ナビゲーション部１２０によって生成された案内音声を出力したり、マルチメディア再生部１３０で再生された音声データを出力する。
【００２１】
通信接続部１６０は、携帯端末２０との間でデータ通信を可能にする。通信接続部１６０は、好ましくは、携帯端末２０との間で無線または有線による通信接続を確立する。また、通信接続部１６０は、携帯端末２０の通信機能を利用してネットワーク等に接続することも可能である。記憶部１７０は、車載装置１０が実行するアプリケーションソフトウエアやプログラム、道路地図データ、楽曲や映像等のコンテンツデータなどを記憶することができる。
【００２２】
制御部１８０は、好ましい態様では、ＲＯＭ、ＲＡＭなどを含むマイクロコントローラ等を含み、ＲＯＭまたはＲＡＭは、車載装置１０の各部の動作を制御するための種々のプログラムを格納することができる。本実施例では、制御部１８０は、携帯端末２０が車載装置１０に接続されたときの連携を図る連携プログラムを実行する。連携プログラムは、種々の機能を包含するが、ここでは、携帯端末２０により再生されたコンテンツデータを車載装置１０で出力するときの携帯端末２０のバッテリー残量を通知の詳細について説明する。
【００２３】
図３は、本実施例によるバッテリー残量の通知プログラムの機能的な構成を示す図である。通知プログラム２００は、バッテリー情報取得部２１０、コンテンツ情報取得部２２０、バッテリー残量推定部２３０、通知要否判定部２４０、境界期間検出部２５０、バッテリー残量通知部２６０を含んで構成される。
【００２４】
バッテリー情報取得部２１０は、携帯端末２０から携帯端末に搭載されるバッテリーの残量に関する情報を取得する。例えば、バッテリーの残量が５０％、４０％、３０％のような情報である。バッテリー情報の取得方法は任意であるが、例えば、携帯端末２０が一定間隔でバッテリー情報を車載装置１０に通知したり、バッテリー残量が所定値以下になったときに携帯端末２０が車載装置１０に通知したり、あるいは、車載装置１０から携帯端末２０に対してバッテリー情報の要求があったときに携帯端末２０が車載装置１０に通知するものであってもよい。
【００２５】
コンテンツ情報取得部２２０は、携帯端末２０が現在再生しているコンテンツの次に再生予定のコンテンツの再生時間に関する情報を取得する。例えば、図４に示すように、楽曲が、楽曲Ａ、楽曲Ｂ、楽曲Ｃの順で再生されるものとする。現在、楽曲Ａの再生が行われているとき、コンテンツ情報取得部２２０は、コンテンツ情報として楽曲Ｂの再生時間（５分）を取得し、楽曲Ｂの再生が行われている場合には、コンテンツ情報として楽曲Ｃの再生時間（３分）を取得する。図中、Ｔｓは、楽曲Ａ、Ｂ、Ｃの再生開始時点を示し、Ｔｅは、再生終了時点を示し、Ｔｉｎは、各楽曲の音声が出力されない境界期間、すなわちインターバル期間である。コンテンツ情報取得部２２０は、携帯端末２０がアルバムやプレイリスト等に従いコンテンツを再生している場合には、当該アルバムやプレイリストに基づき次コンテンツを識別する。
【００２６】
バッテリー残量推定部２３０は、バッテリー情報取得部２１０でより取得されたバッテリー残量およびコンテンツ情報取得部２２０で取得された次コンテンツの再生時間に基づき、次コンテンツの再生が終了したときのバッテリー残量を推定する。バッテリー残量の推定方法は、現在再生中のコンテンツの残りの再生時間と次コンテンツの再生時間との合計を算出し、算出された合計時間から、次コンテンツを再生したならば生じるであろうバッテリー残量の変化を推定する。１つの好ましい例では、再生時間とバッテリー消費量との関係を予め用意しておき、当該関係に基づきバッテリー残量を推定する。例えば、バッテリー情報取得部２１０で取得されたバッテリー残量が「６０％」であり、次コンテンツを再生するのに要する合計の再生時間が「６分」であるとする。単位再生時間当たりのバッテリー消費割合が「１％／分」とすると、次コンテンツの再生終了時のバッテリー残量を、「５４％」と推定することができる。
【００２７】
通知要否判定部２４０は、バッテリー残量推定部２３０によって推定された次コンテンツ再生終了時におけるバッテリー残量の推定値に基づき、バッテリー残量に関する通知を行うか否かの判定を行う。例えば、推定値が、閾値以下である場合には、通知を行い、それを上回る場合には、通知を行わないと判定する。
【００２８】
境界期間検出部２５０は、コンテンツの境界期間、すなわち図４に示す楽曲Ａと楽曲Ｂのインターバル期間Ｔｉｎ、あるいは楽曲Ｂと楽曲Ｃとのインターバル期間Ｔｉｎを検出する。境界期間は、楽曲等のコンテンツが再生されていない期間であり、音声等が出力されない無音の期間である。境界期間の検出方法は、特に問わないが、例えば、携帯端末２０からのオーディオ信号が一定期間以上検出されない期間を境界期間として検出することができる。あるいは、コンテンツのインターバル期間Ｔｉｎが携帯端末２０または車載装置１０側で既知であれば、それを利用してもよい。あるいは、最初に再生するコンテンツと次に再生するコンテンツとの間のオーディオ信号が検出されない境界期間を検出しておき、以後、この検出された境界期間を利用するようにしてもよい。
【００２９】
バッテリー残量通知部２６０は、通知要否判定部２４０によりバッテリー残量の通知が必要であると判定されたとき、境界期間検出部２５０によって検出された境界期間中に、バッテリー残量に関する通知を行う。通知方法は、特に限定されないが、例えば、表示部１４０に警告メッセージを表示したり、音声出力部１５０から警告音声を出力する。警告内容は、例えば、バッテリー残量が少なくなることや、バッテリーの充電を促すことを含めることができる。
【００３０】
図５に、携帯端末の典型的な構成例を示す。携帯端末２０は、接続部３００、通信部３１０、入力部３２０、再生部３３０、表示部３４０、音声出力部３５０、記憶部３６０、制御部３７０を含んで構成される。接続部３００は、車載装置１０との間で無線による接続手段３０を構成する。通信部３１０は、公衆無線回線等を通じた音声通話やデータ通信を可能にする。入力部３１０は、ユーザーからの指示を受け取り、これを制御部３７０へ提供する。
【００３１】
再生部３３０は、携帯端末が保持する楽曲や映像等のコンテンツデータを再生し、再生した音声データを音声出力部３５０から出力させ、映像データを表示部３４０に表示させる。また、携帯端末２０が車載装置１０に接続され、車載装置１０または携帯端末２０からの指示により、携帯端末２０の再生部３３０によるコンテンツデータの再生が行われた場合、再生されたコンテンツデータは、接続部３００を介して車載装置１０へ送信される。記憶部３６０は、携帯端末２０の機能を実行するためのソフトウエア、楽曲や映像等のコンテンツデータを記憶することができる。
【００３２】
制御部３７０は、好ましい態様では、ＲＯＭ、ＲＡＭなどを含むマイクロコントローラ等を含み、ＲＯＭまたはＲＡＭは、携帯端末２０の各部の動作を制御するための種々のプログラムを格納することができる。本実施例では、制御部３７０は、携帯端末２０が車載装置１０に接続されたときの連携を図る連携プログラムを実行することができる。
【００３３】
携帯端末２０は、連携プログラムの実行により、車載装置１０に対して、バッテリーの残量に関するバッテリー情報を提供する。例えば、バッテリー残量が予め決められた値（例えば、バッテリー残量５０％、４０％、３０％等）に到達したとき、あるいは一定の時間間隔でバッテリー情報が車載装置１０へ提供される。あるいは、車載装置１０からのリクエストに応じてバッテリー情報を提供するようにしてもよい。さらに携帯端末２０は、車載装置１０に対して、一連のコンテンツを再生するとき、コンテンツ情報として、次コンテンツの再生時間を提供するようにしてもよい。あるいは、携帯端末が保持するアルバムまたはプレイリストが再生される場合には、アルバムまたはプレイリストに含まれるコンテンツの再生順、再生時間、インターバル間隔などの情報を提供するようにしてもよい。
【００３４】
次に、本実施例の連携システムの動作について図６のフローを参照して説明する。先ず、車載装置１００と携帯端末２０とが図１に示すように接続手段３０を介して接続され（Ｓ１００）、両機器の連携が開始される。１つの例では、携帯端末２０が車載装置１０に接続されると、車載装置１０で起動された連携プログラムにより車載装置１０から携帯端末２０への操作が可能になる。例えば、車載装置１０の表示部１４０には、携帯端末２０が備える機能を実行するためのアイコンが表示され、ユーザーは、アイコンを選択することで携帯端末２０の所望の機能を実行させることができる。ここでは、ユーザーは、携帯端末２０に対して携帯端末２０が保持するコンテンツを再生させる指示を与える(Ｓ１０２)。携帯端末側のコンテンツを再生させるとき、車載装置１０は、携帯端末が保持するコンテンツ情報（例えば、アルバムリスト、アーティストリスト、プレイリスト、マイミュージックなど）を取得し、その中から所望のコンテンツの再生を指示することができる。
【００３５】
車載装置１０から携帯端末２０に対して再生指示が出力されると、携帯端末２０は、再生指示に従いコンテンツの再生を開始する。例えば、車載装置１０から、アーティストＸの再生指示があると、携帯端末２０は、アーティストＸの楽曲の再生を開始する。ここでは、アーティストＸが複数の楽曲Ａ、Ｂ、Ｃ…Ｎを含み、アルファベット順に再生されるものとする。携帯端末２０により再生されたコンテンツデータ（ここでは、楽曲Ａのオーディオデータ）が車載装置１０へ転送され、車載装置１０は、受信したコンテンツデータを表示部１４０や音声出力部１５０から出力させる（Ｓ１０６）。
【００３６】
ここで、携帯端末２０が決められた条件に従いバッテリーの残量に関するバッテリー情報を車載装置１０へ提供すると、バッテリー情報取得部２１０がバッテリー情報を取得し（Ｓ１０８）、次いで、コンテンツ情報取得部２２０により次コンテンツの再生時間（この場合、楽曲Ｂの再生時間）が取得され、バッテリー残量推定部２３０が次コンテンツの再生終了後（この場合、楽曲Ｂの再生終了時）のバッテリー残量を推定する（Ｓ１１０）。コンテンツ情報取得部２２０は、例えば、アーティストＸに含まれる再生情報から次コンテンツおよびその再生時間を取得することが可能である。あるいは必要であれば、携帯端末２０に対して次コンテンツの再生時間の通知を要求することも可能である。
【００３７】
次に、通知要否判定部２４０は、バッテリー残量が閾値以下であれば、バッテリー残量に関する通知が必要であると判定し（Ｓ１１２）、その判定結果が境界期間検出部２５０へ提供される。そして、境界期間検出部２５０により、次コンテンツの再生開始前、または次コンテンツの再生開始後のインターバル期間が検出されたとき、バッテリー残量通知部２６０は、バッテリー残量に関する警告等を通知する（Ｓ１１６）。通知要否判定部は、バッテリー残量が閾値を上回るのであれば、バッテリーに関する通知が不要であると判定する。このようなバッテリー残量に関する通知の有無がバッテリー情報が取得される都度、繰り返し行われる。
【００３８】
図７は、バッテリー残量に関する警告の通知タイミングの一例を示している。同図に示すように、楽曲Ａを再生中に、楽曲Ｂの再生終了後のバッテリー残量が閾値以下となる場合には、境界検出部２５０により楽曲Ａと楽曲Ｂの間のインターバル期間Ｔｉｎ＿１、または楽曲Ｂと楽曲Ｃの間のインターバル期間Ｔｉｎ＿２が検出され、インターバル期間Ｔｉｎ＿１またはＴｉｎ＿２のいずれか、あるいは双方の期間において、バッテリー残量の通知２７０、２７２が行われる。
【００３９】
このように本実施例によれば、次コンテンツの再生開始前または再生終了後の曲間の無音状態時に、バッテリー残量に関する通知を行うようにしたので、楽曲や映像のコンテンツの再生中に、その視聴が妨げられることがなくなる。
【００４０】
次に、第１の実施例の変形例について説明する。上記実施例では、次コンテンツの再生時間を考慮したバッテリー残量を推定し、バッテリー残量に関する通知を行っているが、変形例では、次コンテンツの次のコンテンツ（以下、次々コンテンツ）の再生終了後のバッテリー残量が閾値を下回る場合に、バッテリー残量に関する通知を行う。コンテンツ情報取得部２２０は、次々コンテンツの再生時間に関する情報を取得し、バッテリー残量推定部２３０は、次々コンテンツの再生終了後のバッテリー残量を推定する。図４の例で示せば、楽曲Ｃの再生終了後のバッテリー残量を推定する。通知要否判定部２４０は、次コンテンツの再生終了後のバッテリー残量の推定値が閾値以上であるとき、次々コンテンツの再生終了後のバッテリー残量の推定値が閾値以上か否かを判定し、閾値を下回る場合には、次々コンテンツの再生開始前または再生終了後のいずれかにバッテリー残量の通知が必要であると判定する。バッテリー残量通知部２６０は、通知要否判定部２４０の判定結果に基づきバッテリー残量に関する通知を行う。
【００４１】
当該変形例によれば、次コンテンツの再生終了時にバッテリー残量が閾値以下にならない場合であっても、次々コンテンツの再生途中でバッテリー残量が閾値以下になる場合には、通知を行うようにしたので、次々コンテンツの再生中にバッテリー残量が低くなってしまうことを事前に知らせることができる。
【００４２】
次に、本発明の第２の実施例について説明する。第１の実施例では、バッテリー残量に関する警告を、次コンテンツの再生開始前または再生開始後のいずれか、あるいは双方で任意に通知する例を示したが、第２の実施例では、次コンテンツの再生開始前および再生開始後において選択的なバッテリー残量の通知を可能にする。
【００４３】
図８は、第２の実施例による通知要否判定部２４０の判定フローであり、これは、図６に示すステップＳ１１２に対応する。第２の実施例では、通知要否判定部２４０は、バッテリー残量の推定値を、第１の閾値と第２の閾値（第１の閾値＞第２の閾値）と比較し、通知するタイミングに応じて通知する内容を異ならせる。先ず、通知要否判定部２４０は、バッテリー残量の推定値が第１の閾値以下であり（ステップＳ１１２Ａ）、かつ第２の閾値以下であるとき（ステップＳ１１２Ｂ）、次コンテンツの再生開始前の曲間で第１の通知が必要であると判定し（Ｓ１１２Ｃ）、推定値が第２の閾値を上回る場合には、次コンテンツの再生終了後の曲間に第２の通知が必要であると判定する（Ｓ１１２Ｄ）。
【００４４】
境界期間検出部２５０は、通知要否判定部２４０の判定結果に基づき次コンテンツの再生開始前の境界期間と、次コンテンツの再生終了後の境界期間を検出し、その検出結果をバッテリー残量通知部２６０へ伝える。バッテリー残量通知部２６０は、通知要否判定部２４０の判定結果に基づき、図９に示すように、次コンテンツの再生開始前の期間Ｔｉｎ＿１において第１の通知２８０を行い、次コンテンツの再生終了後の期間Ｔｉｎ＿２において第２の通知２８２を行う。好ましくは、第１の通知２８０は、次コンテンツの再生を行った場合にはバッテリー残量が非常に小さくなるので充電が必要である旨の警告を含み、第２の通知２８２は、バッテリー残量が少なくなっている旨の警告を含む。例えば、第１の通知は、次コンテンツの再生終了後にバッテリー残量が第２の閾値以下になるような警告を含み、第２の通知は、次コンテンツの再生終了後にバッテリー残量が第１の閾値以下になるような警告を含む。
【００４５】
このように第２の実施例によれば、バッテリー残量の大きさに応じて、次コンテンツの再生開始前と再生終了後に通知する警告を異ならせることで、ユーザーに適切な内容を通知することができる。
【００４６】
上記実施例では、推定値と第２の閾値とに比較結果に応じて、次コンテンツの再生開始前に第１の通知を行い、再生終了後に第２の通知を行うようにしたが、これに限らず、推定値が第２の閾値である場合には、次コンテンツの再生開始前と再生開始後のそれぞれで第１の通知を行うようにしてもよい。
【００４７】
次に、第２の実施例の第１の変形例について説明する。第２の実施例では、次コンテンツの前後の曲間に第１の通知または第２の通知を行うが、次コンテンツの前後の曲間の双方でバッテリー残量に関する通知を行うようにしても良い。仮に、第１の閾値を「２０％」、第２の閾値を「１０％」とし、バッテリー残量の推定値が第１の閾値以下であるが、第２の閾値より大きい場合（例えば、推定値が１５％）のとき、図１０（Ａ）に示すように、次コンテンツの前後で図１０（Ａ）に示すような通知を行い、推定値が第１の閾値以下であり、かつ第２の閾値以下でもある場合（例えば、推定値が４％）、図１０（Ｂ）に示すように、次コンテンツの再生開始前に第２の閾値を下回る旨の案内を出し、再生終了後には、バッテリーの充電を促す旨の案内をすることができる。
【００４８】
次に、第２の実施例の第２の変形例について説明する。第２の変形例では、第２の閾値が０である場合、すなわちバッテリー残量の推定値が０以下となる場合である。第２の変形例において、推定値が次コンテンツの再生終了後に０以下となる場合には、バッテリー残量通知部２６０は、例外的に、現在コンテンツを再生中であっても、バッテリー残量がゼロに成る旨の通知を行うようにしてもよい。仮に、次コンテンツの再生を開始すれば、途中で携帯端末２０の動作が停止され、ユーザーに不測の事態が生じるのを防止させる。
【００４９】
上記実施例では、コンテンツの境界期間（曲間）Ｔｉｎにバッテリー残量に関する通知を行っているが、境界期間Ｔｉｎが短い場合には、バッテリー残量に関する通知（音声案内）が収まりきらない場合もある。このような場合には、バッテリー残量通知部２６０は、携帯端末２０から受信したコンテンツデータの音声出力等を一定期間停止し、バッテリー残量に関する通知を行った後に、コンテンツデータの出力を開始するようにしても良い。
【００５０】
また、上記実施例では、携帯端末２０のバッテリーの充電が開始されればバッテリー残量に関する通知は不要と考えられることから、携帯端末２０は、バッテリーへの充電が開始された場合には、その旨を車載装置１０に通知し、車載装置１０は、当該通知を受け取った場合は、通知プログラム２００の動作を停止させても良い。
【００５１】
上記実施例では、コンテンツの境界期間（曲間）にバッテリー残量に関する通知を行っているが、例えば、車載装置１０においてナビゲーション部１２０が起動され、そのバックグラウンドでコンテンツが出力されているような場合、ナビゲーション部１２０によるテキストデータ等の読み上げ（音声出力）とバッテリー残量に関する音声出力とが競合する可能性がある。このような場合には、テキストデータを読み上げていない期間に、バッテリー残量に関する音声案内や表示等を行うようにすることが望ましい。
【００５２】
さらに、携帯端末２０と車載装置１０が接続されているとき、携帯端末２０は、ハンズフリー通話が可能な状態に置かれる。そこで、ハンズフリー通話中は、表示部１４０にのみバッテリー残量に関する表示を行い、ハンズフリー通話の終了後に、再度、バッテリー残量に関する通知を音声出力させることができる。
【００５３】
以上、本発明の好ましい実施の形態について詳述したが、本発明は、特定の実施形態に限定されるものではなく、特許請求の範囲に記載された発明の要旨の範囲において、種々の変形、変更が可能である。
【符号の説明】
【００５４】
１０：車載装置                      ２０：携帯端末
３０：接続手段                    １００：入力部
１１０：位置情報算出部              １２０：ナビゲーション部
１３０：マルチメディア再生部        １４０：表示部
１５０：音声出力部                  １６０：通信接続部
１７０：記憶部                      １８０：制御部
２００：通知プログラム              ２１０：バッテリー残量取得部
２２０：コンテンツ情報取得部        ２３０：バッテリー残量推定部
２４０：通知要否判定部              ２５０：境界期間検出部
２６０：バッテリー残量通知部
【図１】
0006635877.tif 000002
【図２】
0006635877.tif 000003
【図３】
0006635877.tif 000004
【図４】
0006635877.tif 000005
【図５】
0006635877.tif 000006
【図６】
0006635877.tif 000007
【図７】
0006635877.tif 000008
【図８】
0006635877.tif 000009
【図９】
0006635877.tif 000010
【図１０】
0006635877.tif 000011
【図１１】
0006635877.tif 000012